(57)【特許請求の範囲】
【請求項１】
筐体と、前記筐体から突出する搬出位置と前記筐体内に収容される搬入位置との間をメモリーカードを載せて移動するトレイと、前記筐体内に片持ち状態で固設された弾性を有する複数本の端子と、前記筐体に前後動自在に支持されて前記搬出位置に対応する前進位置と前記搬入位置に対応する後退位置との間を移動するスライド部材と、前記筐体に固定されて前後方向へ延びる第１のラックギアと、前記スライド部材に回転可能に軸支され前記第１のラックギアに噛合されたピニオンと、前記トレイに設けられて前後方向へ延び、前記ピニオンに前記第１のラックギアと反対側から噛合された第２のラックギアと、前記スライド部材に設けられて前後方向へ延びる第３のラックギアと、前記筐体内に固定されたモータと、前記第３のラックギアと噛合し、前記モータに回転駆動されて前記スライド部材を前後動する歯車とを備え、前記トレイには載置されたメモリーカードの底面に並設された接点に対応する位置に開口部が形成されているとともに、前記トレイの前記搬入位置への移動に連動して前記複数本の端子を持ち上げて前記搬入位置にある前記トレイ上の前記メモリーカードの各接点に前記開口部を介してそれぞれ弾接させる押圧手段とが設けられ、前記押圧手段は前記トレイの底面に取り付けられた軸を中心として回転するローラで形成されて前記トレイと一体的に移動するように構成され、前記複数本の端子は前記トレイの移動方向と交叉する前記軸の軸線方向に整列配置されており、前記トレイが前記搬出位置にあるとき、前記複数本の端子は前記押圧手段と接触することなく前記トレイから離反した待機位置にあり、前記トレイの前記搬入位置への移動に伴って前記複数本の端子がその自由端側から前記トレイの底面と前記ローラとの間に挿入されて、前記複数本の端子が前記ローラに摺接することにより、前記ローラが回転しながら前記複数本の端子を押圧することを特徴とするメモリーカード接続装置。
【請求項２】
前記筐体には、前記トレイが前記搬入位置にある時に前記メモリーカードの上面を押圧して前記接点を前記複数本の端子に押し付ける押さえローラが設けられていることを特徴とする請求項１に記載のメモリーカード接続装置。
【請求項３】
前記トレイの上面には前記メモリーカードを位置決め保持する凹部が形成され、この凹部がメモリーカード載置部とされており、前記凹部の一隅部が前記メモリーカードのテーパ部に対応するように斜めに形成されて前記メモリーカードの誤載置を防止するための誤載置防止部として機能することを特徴とする請求項１又は２に記載のメモリーカード接続装置。
【請求項４】
前記開口部は前記メモリーカード載置部の前記搬出位置から前記搬入位置に向かう搬入方向奥側に配設されており、前記メモリーカードの前記接点に対応する先端部分の上面を押圧したときに、前記メモリーカードの先端部分が前記開口部に没入して、前記メモリーカードの後端部分が前記メモリーカード載置部から浮き上がることを特徴とする請求項１，２，又は３に記載のメモリーカード接続装置。
【請求項５】
前後方向に延びる長孔が形成された駆動部材と、前記スライド部材に設けられ前記長孔に嵌挿されて前記駆動部材を前後方向にスライド可能に支持する突起と、前記スライド部材と前記駆動部材との間に掛合され、前記突起が前記長孔の後端内壁から離間するように前記駆動部材を前記スライド部材が後退位置へ移動する方向に牽引する引っ張りばねとを備え、前記第３のラックギアを前記駆動部材に形成し、前記スライド部材の前進位置から後退位置への移動に伴って前記突起が前記後端内壁に向かって移動する過程において、前記トレイの移動を検出する検出手段を設け、該検出手段を、前記トレイの基部の案内腕部の底面に下方に突出して設けられた押圧部と、前記筺体内の底板に固定された基板の上面に取り付けられると共に、前記トレイの下方に配設され、前記トレイの移動時に前記押圧部によりステムの押圧及び押圧が解除されるプッシュスイッチとから構成し、該プッシュスイッチにより前記トレイの移動を検出して前記モータを回転駆動するようにしたことを特徴とする請求項１に記載のメモリーカード接続装置。
【発明の詳細な説明】
【０００１】
【発明の属する技術分野】
接点を有するメモリーカードと接続するメモリーカード接続装置に係り、特に接続時にメモリーカード搬送用のトレイを備えたメモリーカード接続装置の構造に関する。
【０００２】
【従来の技術】
コンピュータ等の機器に取り付けられてメモリーカードに対して情報の書き込み・読み出しを行うようにしたメモリーカード用コネクタ装置は、ベースとカバーとを接合・一体化して形成された筐体と、この筐体内部に固設された複数本の端子とを備え、前記筐体の前面に開設された挿入口からメモリーカードを抜き差しすることにより、メモリーカードの底面に形成された接点を前記複数本の端子と接続させるようにしている。このようなメモリーカード用コネクタ装置は特開２０００−２５１０２５号公報にて公知である。
【０００３】
【発明が解決しようとする課題】
ところで、メモリーカード用コネクタ装置の普及に伴い、メモリーカードを筐体の内部に移動したり、内部から移動したりするトレイを有した高級商品としての位置付けのメモリーカード接続装置の開発が望まれた。このようなメモリーカード接続装置はトレイが筐体内部に位置する時に複数本の端子をメモリーカードの接点に接続させる必要がある。しかし、複数本の端子をメモリーカードの接点と接続するように配置しようとすると、複数本の端子にトレイが接触しその移動が妨げられたり、端子が破損する虞がある。
【０００４】
本発明は上述した事情に鑑みてなされたもので、その目的は、トレイと複数本の端子との誤接触を防止し、複数本の端子をメモリーカードの接点に安定して接続することの可能なメモリーカード接続装置を提供することにある。
【０００５】
【課題を解決するための手段】
上記目的を達成するために、本発明のメモリーカード接続装置は、筐体と、前記筐体から突出する搬出位置と前記筐体内に収容される搬入位置との間をメモリーカードを載せて移動するトレイと、前記筐体内に片持ち状態で固設された弾性を有する複数本の端子と、前記筐体に前後動自在に支持されて前記搬出位置に対応する前進位置と前記搬入位置に対応する後退位置との間を移動するスライド部材と、前記筐体に固定されて前後方向へ延びる第１のラックギアと、前記スライド部材に回転可能に軸支され前記第１のラックギアに噛合されたピニオンと、前記トレイに設けられて前後方向へ延び、前記ピニオンに前記第１のラックギアと反対側から噛合された第２のラックギアと、前記スライド部材に設けられて前後方向へ延びる第３のラックギアと、前記筐体内に固定されたモータと、前記第３のラックギアと噛合し、前記モータに回転駆動されて前記スライド部材を前後動する歯車とを備え、前記トレイには載置されたメモリーカードの底面に並設された接点に対応する位置に開口部が形成されているとともに、前記トレイの前記搬入位置への移動に連動して前記複数本の端子を持ち上げて前記搬入位置にある前記トレイ上の前記メモリーカードの各接点に前記開口部を介してそれぞれ弾接させる押圧手段とが設けられ、前記押圧手段は前記トレイの底面に取り付けられた軸を中心として回転するローラで形成されて前記トレイと一体的に移動するように構成され、前記複数本の端子は前記トレイの移動方向と交叉する前記軸の軸線方向に整列配置されており、前記トレイが前記搬出位置にあるとき、前記複数本の端子は前記押圧手段と接触することなく前記トレイから離反した待機位置にあり、前記トレイの前記搬入位置への移動に伴って前記複数本の端子がその自由端側から前記トレイの底面と前記ローラとの間に挿入されて、前記複数本の端子が前記ローラに摺接することにより、前記ローラが回転しながら前記複数本の端子を押圧することを最も主要な特徴としている。
【０００７】
また、上記構成において、前記筐体には、前記トレイが前記搬入位置にある時に前記メモリーカードの上面を押圧して前記接点を前記複数本の端子に押し付ける押さえローラが設けられている構成とした。
【０００８】
また、上記構成において、前記トレイの上面には前記メモリーカードを位置決め保持する凹部が形成され、この凹部がメモリーカード載置部とされており、前記凹部の一隅部が前記メモリーカードのテーパ部に対応するように斜めに形成されて前記メモリーカードの誤載置を防止するための誤載置防止部として機能する構成とした。
【０００９】
また、上記構成において、前記開口部は前記メモリーカード載置部の前記搬出位置から前記搬入位置に向かう搬入方向奥側に配設されており、前記メモリーカードの前記接点に対応する先端部分の上面を押圧したときに、前記メモリーカードの先端部分が前記開口部に没入して、前記メモリーカードの後端部分が前記メモリーカード載置部から浮き上がる構成とした。
また、上記構成において、前後方向に延びる長孔が形成された駆動部材と、前記スライド部材に設けられ前記長孔に嵌挿されて前記駆動部材を前後方向にスライド可能に支持する突起と、前記スライド部材と前記駆動部材との間に掛合され、前記突起が前記長孔の後端内壁から離間するように前記駆動部材を前記スライド部材が後退位置へ移動する方向に牽引する引っ張りばねとを備え、前記第３のラックギアを前記駆動部材に形成し、前記スライド部材の前進位置から後退位置への移動に伴って前記突起が前記後端内壁に向かって移動する過程において、前記トレイの移動を検出する検出手段を設け、該検出手段を、前記トレイの基部の案内腕部の底面に下方に突出して設けられた押圧部と、前記筺体内の底板に固定された基板の上面に取り付けられると共に、前記トレイの下方に配設され、前記トレイの移動時に前記押圧部によりステムの押圧及び押圧が解除されるプッシュスイッチとから構成し、該プッシュスイッチにより前記トレイの移動を検出して前記モータを回転駆動する構成とした。
【００１０】
【発明の実施の形態】
以下、本発明のメモリーカード接続装置の第１の実施形態を図１〜図３１に基づいて説明する。
【００１１】
このメモリーカード接続装置は、図１〜図３に示すように、筐体１と、筐体１にその前面開口部２ａを介して前後進可能に設けられたトレイ１５と、筐体１内に取り付けられた基板２４と、筐体１の一方の側板３に前後動自在に支持されたスライド部材２９等で構成されている。
【００１２】
このメモリーカード接続装置に用いられるメモリーカード４１は公知のもので、ＩＣ等のメモリ素子を内蔵したプラスチック製のケースによって構成されており、図４に示すように、先端一隅にテーパ部４２が形成され、底面にはその先端部に複数の接点４３が一定間隔で並設されている。また、メモリーカード４１の側部には切欠凹部４４が形成され、この切欠凹部４４に前記メモリー素子への情報の書き込みを許可または禁止の状態にするための移動片４５が前後方向にスライド自在に装着されている。
【００１３】
次に、このメモリーカード接続装置を構成する各部材の具体的構成について順次説明する。
【００１４】
筐体１は、プラスチック材で成形されてなるもので、図５〜図９に示すように、前面板２、側板３，４、後面板５及び底板６から構成され、前面板２には前面開口部２ａが、また後面板５には後面開口部５ａがそれぞれ形成されており、前面板２及び両側板３，４の内壁面に基板２４を取り付けるための取付部７が形成されている。一方の側板３には、切欠孔３ａと２つの角孔３ｂとが穿設され、３つの長孔３ｃと矩形状の透孔３ｄとが前後に延びるように形成されており、側板３の内壁面には第１のラックギア８が透孔３ｄの下縁に沿って設けられ、一対の案内突起９ａ，９ｂが２組前後に間隔を置いて形成されている。また、側板３の外壁面には、ばね掛け部１０とハート型カム１１とが設けられており、図２３に示すように、ハート型カム１１は主ガイド溝１１ａとこの主ガイド溝１１ａから分岐された往路ガイド溝１１ｂ及び復路ガイド溝１１ｃとこれら往路・復路ガイド溝１１ｂ，１１ｃによって画成された係止突起１１ｄとで形成されている。
【００１５】
また、筐体１の他方の側板４には、矩形状の切欠部４ａと２つの小孔４ｂとが形成され、側板４の内壁面に一対の案内突起１２ａ，１２ｂが２組前後に間隔を置いて形成されている。さらに、底板６にはその後端側を残すように開口６ａが穿設されている。そして、図１に示すように、筐体１の上方開口端には両側板３，４間に跨って弾性金属板１３が固定されており、この弾性金属板１３に押さえローラ１４が回転可能に取り付けられている。
【００１６】
トレイ１５は、プラスチック材で成形されてなるもので、図１０〜図１６に示すように、矩形状の基部１６と、この基部１６の両側に一体に設けられた一対の案内腕部１７，１８と、基部１６の前端に一体に形成された前面部１９とで構成され、基部１６の上面にはメモリーカード４１を位置決め保持するための凹部からなるメモリーカード載置部２０が設けられており、メモリーカード載置部２０には開口部２０ａが形成され、メモリーカード載置部２０の一隅部２０ｂはメモリーカード４１のテーパ部４２に対応して斜めに形成されている。また、基部１６の底面には一対の支持部２１ａ，２１ｂが形成されており、この一対の支持部２１ａ，２１ｂにローラ２２がその両端に設けられた軸２２ａによって回転自在に支承されている。さらに、一方の案内腕部１７の底面には第２のラックギア２３が前後方向に延びるように設けられ、他方の案内腕部１８の底面には後述する２つのプッシュスイッチをそれぞれ押圧するための押圧部１８ａ，１８ｂが設けられている。
【００１７】
そして、トレイ１５は、筐体１内に前面開口部２ａから挿入され、一方の案内腕部１７を一対の案内突起９ａ，９ｂ間に挿通させ、他方の案内腕部１８を一対の案内突起１２ａ，１２ｂ間に挿通させて、これら案内突起９ａ，９ｂ，１２ａ，１２ｂで両案内腕部１７，１８を支持せることにより、前方向（矢印Ｘ方向）及び後方向（矢印Ｙ方向）に前後移動できるようになっている。
【００１８】
基板２４は、フェノール樹脂で成形されてなるもので、図１７〜図１９に示すように、その上面に弾性を有するばね材で形成された複数本の端子２５が絶縁合成樹脂製のブロック体２６によって片持ち状態で支持されており、複数本の端子２５は、トレイ１５の移動方向（矢印Ｘ，Ｙ方向）と直交するローラ軸２２ａの軸線方向に整列配置され、その固定端側が基板２４の上面に形成されたランド２４ａと接続されている。また、基板２４の上面には前述した２つのプッシュスイッチ２７，２８が前後に間隔を置いて取り付けられている。そして、この基板２４は筐体１内に底板６に穿設された開口６ａから挿入されて取付部７にねじ止めにより固定されている。
【００１９】
スライド部材２９は、プラスチック材で板状に成形されてなるもので、図２０〜図２２に示すように、一方の面にはばね掛け部３０と３つの円筒突起３１とが形成され、また、他方の面には矩形状の凹部３２と３つの係止突起３３とが設けられオイル式のロータリーダンパー３４が取り付けられている。このロータリーダンパー３４はグリスを封入した本体３４ａとこの本体３４ａに回転自在に軸支されたピニオン３４ｂとで構成されている。そして、図１に示すように、スライド部材２９は、３つの係止突起３３をそれぞれ筐体１の側板３に形成された３つの長孔３ｃに嵌挿して係止することによって筐体１に前後動自在に支持されており、ロータリーダンパー３４が透孔３ｄを介して筐体１内に位置し、ピニオン３４ｂに第１のラックギア８が下方から噛合され、また、トレイ１５に形成された第２のラックギア２３がピニオン３４ｂに第１のラックギア８と反対側（上方）から噛合されている。これにより、スライド部材２９は、トレイ１５の前後移動に伴う第２のラックギア２３の前後移動によってピニオン３４ｂが第１，第２のラックギア８，２３と噛合した状態で前後方向に転動することにより、トレイ１５の前後移動に連動して前後動すると共に、スライド部材２９の前後動に伴いピニオン３４ｂが第１，第２のラックギア８，２３と噛合した状態で前後方向に転動することにより、トレイ１５がスライド部材２９の前後動に連動して前後移動するようになっている。
【００２０】
また、図２０〜図２２に示すように、スライド部材２９には凹部３２とスライド部材２９の一方の面とを連通する小孔が穿設され、この小孔に挿通された金属線材からなる係合ピン３５がその後端部に合成樹脂製のストッパ部材３６を圧入することによってスライド部材２９に回動自在に支持されており、ストッパ部材３６に形成された突部３６ａがスライド部材２９の一方の面に弾接することによりストッパ部材３６が係合ピン３５をスライド部材２９の一方の面から他方の面に向かう方向へ付勢し、スライド部材２９が筐体１に支持された状態で係合ピン３５の先端部がハート型カム１１から脱落するのを防止している。そして、図２３に示すように、係止ピン３５の先端部が領域Ａでハート型カム１１の係止突起１１ｄに係止されることによって、図１，図２に示すように、スライド部材２９が、ばね掛け部１０，３０に両端を係止してスライド部材２９と筐体１との間に掛合された引っ張りばね３７による前方向（矢印Ｘ方向）への付勢力に抗して後退位置にロックされ、これによりトレイ１５が筐体１内の搬入位置に保持されている。
【００２１】
本第１の実施形態に係るメモリーカード接続装置は上記したように構成されており、次にその動作について説明する。
【００２２】
このメモリーカード接続装置はコンピュータ等の機器に取り付けられて該機器に備わる記録再生回路と複数本の端子２５とを接続して使用され、図１〜図３に示すトレイ１５が搬入位置に位置しスライド部材２９が後退位置にロックされた状態において、筐体１の前面開口部２ａに臨むトレイ１５の前面部１９を押圧操作してトレイ１５を若干後方向（矢印Ｙ方向）へ移動させると、このトレイ１５の移動に連動してスライド部材２９が後方向へ移動することにより、図２３に示すように、係合ピン３５の先端部が往路ガイド溝１１ｂの領域Ｂへ移動し、係合ピン３５とハート型カム１１の係止突起１１ｄとの係止が外れてスライド部材２９のロックが解除され、スライド部材２９が引っ張りばね３７の付勢力で前方向（矢印Ｘ方向）へ移動する。この際、スライド部材３８はオイルダンパー３４によって制動力が与えられその移動速度が緩和される。
【００２３】
このスライド部材２９の移動に連動してトレイ１５が前方向へ移動し、図２４に示すように、プッシュスイッチ２７のステム２７ａをトレイ１５の押圧部１８ａが押圧することによってトレイ１５が搬出位置に位置したことが検出される。この際、図２３に示すように、係合ピン３５の先端部は往路ガイド溝１１ｂの領域Ｂから領域Ｃ及び領域Ｄを経て主ガイド溝１１ａの領域Ｅに位置する。また、このとき、図２５に示すように、複数本の端子２５はトレイ１５から離反しており、これら端子２５の自由端側がトレイ１５との接触を避けて下方の待機位置に退避している。さらに、この際、スライド部材２９はトレイ１５の搬出位置に対応した前進位置に到達しており、ピニオン３４ｂが第１のラックギア８の前端部に位置して第２のラックギア２３の後端部と噛合する。
【００２４】
この状態で、図２５〜図２７に示すように、筐体１外に引き出されたトレイ１５のメモリーカード載置部２０にメモリーカード４１を載置する。尚、メモリーカード４１の天地を逆にして誤載置した場合は、メモリーカード４１の先端部分がメモリーカード載置部２０の一隅部２０ｂ近傍においてトレイ１５の上面と当接するため、メモリーカード４１をメモリーカード載置部２０に載置することができないようになっている。
【００２５】
そして、トレイ１５の前面部１９を押圧操作してトレイ１５を後方向（矢印Ｙ方向）へ移動させると、このトレイ１５の移動に連動してスライド部材２９が後方向へ移動し、引っ張りばね３７が伸ばされてこれに付勢力が蓄積され、図２３に示すように、係合ピン３５の先端部が主ガイド溝１１ａの領域Ｅから領域Ｄ及び復路ガイド溝１１ｃの領域Ｆ及び領域Ｇを経てハート型カム１１の係止突起１１ｃに係止され、スライド部材２９が引っ張りばね３７の前方向（矢印Ｘ方向）への付勢力に抗して後退位置にロックされることにより、トレイ１５が筐体１内の搬入位置に保持され、図２８に示すように、プッシュスイッチ２８のステム２８ａをトレイ１５の押圧部１８ｂが押圧することによってトレイ１５が搬入位置に位置したことが検出される。
【００２６】
また、トレイ１５が搬出位置から搬入位置に向かって後方向（矢印Ｙ方向）へ移動するこの過程で、トレイ１５に支承されたローラ２２は複数本の端子２５の自由端側をメモリーカード４１の接点４３に弾接させる押圧手段として機能し、図２９に示すように、トレイ１５の移動に伴って複数本の端子２５がその自由端側からトレイ１５の基部１６の底面とローラ２２との間に挿入されて、複数本の端子２５がローラ２２に摺接することにより、ローラ２２が回転しながら複数本の端子２５を押圧してその自由端側を持ち上げ、トレイ１５が搬入位置に位置したときに、図３０に示すように、トレイ１５の下方より複数本の端子２５の自由端側をトレイ１５の開口部２０ａを介してメモリーカード４１の接点４３に弾接させ接続させる。
【００２７】
さらに、このトレイ１５が後方向へ移動する過程で、押さえローラ１４がメモリーカード４１の上面に乗り上がり弾性金属板１３の弾性によってメモリーカード４１の上面に押し付けられながらトレイ１５の移動に伴ってメモリーカード４１の上面上を転動し、トレイ１５が搬入位置に位置したときには、図２９及び図３０に示すように、押さえローラ１４によってメモリーカード４１の接点４３が複数本の端子２５に弾性的に押し付けられる。これにより、メモリーカード４１の接点４３と複数本の端子２５との接続が一層確実なものとなる。
【００２８】
このようにして複数本の端子２５によってメモリーカード４１の接点４３と上述した記録再生回路とが接続された後、この記録再生回路から複数本の端子２５を介してメモリーカード４１のメモリー素子に対して情報の書き込み・読み出しが行われる。
【００２９】
また、メモリーカード４１を筐体１から排出する場合は、上述したようにトレイ１５の前面部１９を押圧操作してトレイ１５を若干後方向（矢印Ｙ方向）へ移動させると、スライド部材２９のロックが解除されて引っ張りばね３７の付勢力でトレイ１５が搬出位置に引き出される。そして、メモリーカード４１をトレイ１５のメモリーカード載置部２０から取り出す際、メモリーカード４１の接点４３に対応する先端部分の上面を押圧すると、図３１に示すように、メモリーカード４１の先端部分がメモリーカード載置部２０の開口部２０ａに没入して、メモリーカード４１の後端部分がメモリーカード載置部２０から浮き上がり、メモリーカード４１を手指で簡単に取り出すことができる。
【００３０】
次に、本発明のメモリーカード接続装置の第２の実施形態を図３２乃至図４１に基づいて説明する。
【００３１】
このメモリーカード接続装置が上述した第１の実施形態のメモリーカード接続装置と異なる点は、スライド部材２９に取り付けられた係合ピン３５及びストッパ部材３６と、筐体１とスライド部材２９との間に掛合された引っ張りばね３７とを取り外し、その代わりに、スライド部材２９に駆動部材５１を取り付け、これらスライド部材２９と駆動部材５１との間に別の引っ張りばね５５を掛合せた点と、駆動部材５１を前後方向に移動させるためのモータ５８を備えたモータユニット５６を筐体１内に固定した点と、一方のプッシュスイッチ２７を後方向（矢印Ｙ方向）に若干移動し、両プッシュスイッチ２７，２８をモータ５８と接続させた点との３点が異なるのみで、他は第１の実施形態に示したメモリーカード接続装置と同様であり、第１の実施形態と同一構造部には同一の符号を付して重複説明を省略する。
【００３２】
駆動部材５１は、プラスチック材でＬ字型板状に成形されてなるもので、図３５〜図３７に示すように、前後方向に延びる３つの長孔５２が穿設され、一方の面にはばね掛け部５３が設けられている。また、駆動部材５１にはその下縁部に第３のラックギア５４が前後方向に延びるように形成されている。そして、この駆動部材５１は各々長孔５２内にスライド部材２９の３つの円筒突起３１を嵌入させてスライド部材２９の一方の面に取り付けられており、ばね掛け部３０，５３に両端を係止してスライド部材２９と駆動部材５１との間に掛合された引っ張りばね５５の付勢力によって各長孔５２の前端内壁に円筒突起３１がそれぞれ当接し、各長孔５２の後端内壁と円筒突起３１との間にクリアランスｔ１が設けられている。
【００３３】
モータユニット５６は、図３８〜図３９に示すように、合成樹脂製のシャーシ５７と、シャーシ５７に取り付けられたモータ５８と、上下２段に重ね合わされシャーシ５７に搭載されたウォーム５９及びウォームホイール６０と、モータ５８の回転軸５８ａに固定されウォームホイール６０と噛合するウォーム６１と、シャーシ５７に回転可能に軸支されウォーム５９と噛合するウォームホイール６２が一体に設けられた歯車６３とで構成され、筐体１の底板６にねじ止めによって取り付けられており、図３３に示すように、筐体１の切欠孔３ａから突出した歯車６３が駆動部材５１の第３のラックギア５４と噛合し、この噛合により駆動部材５１を介してトレイ１５とスライド部材２９とをそれぞれ搬入位置及び後退位置に保持している。
【００３４】
本第２の実施形態に係るメモリーカード接続装置は上記したように構成されており、次にその動作について説明する。
【００３５】
このメモリーカード接続装置も第１の実施形態と同様コンピュータ等の機器に取り付けられて該機器に備わる記録再生回路と複数本の端子２５とを接続して使用され、図３２〜図３４に示す状態において、別途設けた通電用スイッチの操作により、モータ５８に通電すると、その回転軸５８ａの回転がウォーム５９，６１及びウォームホイール６０，６２により伝達されて歯車６３が反時計方向（矢印ＣＣＷ方向）に回転し、歯車６３の回転が第３のラックギア５４との噛合によって直線運動に変換されて駆動部材５１が前方向（矢印Ｘ方向）へ移動する。これに伴いスライド部材２９が駆動部材５１と一体的に前方向へ移動し、トレイ１５がスライド部材２９の移動に連動して前方向へ移動する。そして、上述したように一方のプッシュスイッチ２７を若干後方向に移動させたので、搬出位置にトレイ１５が到達する直前で押圧部１８ａにプッシュスイッチ２７のステム２７ａが押圧されてプッシュスイッチ２７がスイッチング動作を行い、このスイッチング動作によりモータ５８への通電が遮断され、駆動部材５１の前方向への移動が停止する。
【００３６】
この後、スライド部材２９は引っ張りばね５５の付勢力で更に前方向（矢印Ｘ方向）へ移動して前進位置に到達し、その結果、図４０に示すように、スライド部材２９が前進位置に位置したときには、各円筒突起３１が長孔５３の後端内壁から離間し、各円筒突起３１と長孔５３の後端内壁との間にクリアランスｔ２が形成される。また、このスライド部材２９の更なる移動によってトレイ１５が搬出位置に到達する。ここで、トレイ１５が搬出位置に位置した後もプッシュスイッチ２７のステム２７ａはトレイ１５の押圧部１８ａに押圧されたままの状態が維持されている。
【００３７】
この状態で、図４１に示すように、筐体１外に引き出されたトレイ１５のメモリーカード載置部２０にメモリーカード４１を載置し、トレイ１５の前面部１９を押圧操作してトレイ１５を後方向（矢印Ｙ方向）へ移動させると、トレイ１５の移動に連動してスライド部材２９がクリアランスｔ２分だけ後方向へ移動し、その際、プッシュスイッチ２７のステム２７ａに対するトレイ１５の押圧部１８ａによる押圧が解除されてプッシュスイッチ２７がスイッチング動作を行い、このスイッチング動作によりモータ５８に通電がなされる。すると、歯車６３が時計方向（矢印ＣＷ方向）に回転し、歯車６３と第３のラックギア５４との噛合によって駆動部材５１が後方向（矢印Ｙ方向）への移動して、長孔５３の前端内壁が円筒突起３１に当接することにより、スライド部材２９が駆動部材５１と一体的に後方向へ移動し、このスライド部材２９の移動に連動してトレイ１５が後方向へ移動する。
【００３８】
そして、トレイ１５が搬入位置に位置したときに、プッシュスイッチ２８のステム２８ａをトレイ１５の押圧部１８ｂが押圧することによってプッシュスイッチ２８がスイッチング動作を行い、このスイッチング動作によりモータ５８への通電が遮断されて駆動部材５１が停止し、スライド部材２９が元の後退位置に位置する。このとき、複数本の端子２５の自由端側がトレイ１５のローラ２２により持ち上げられてトレイ１５の下方より開口部２０ａを介してメモリーカード４１の接点４３に弾接して接続された状態となる。
【００３９】
このようにして複数本の端子２５によってメモリーカード４１の接点４３と上述した記録再生回路とが接続された後、この記録再生回路から複数本の端子２５を介してメモリーカード４１のメモリー素子に対して情報の書き込み・読み出しが行われる。
【００４０】
また、メモリーカード４１を筐体１から排出する場合は、上述したようにモータ５８に通電し歯車６３を反時計方向に回転させることによりトレイ１５を搬出位置に移動させ、トレイ１５のメモリーカード載置部２０に載置されたメモリーカード４１を取り上げる。
【００４１】
尚、この第２の実施形態においては、プッシュスイッチ２７のスイッチング動作によりモータ５８に通電してトレイ１５を搬出位置から搬入位置へ移動させる場合について説明したが、筐体１外にモータ５８に通電し回転軸５８ａを回転するためのスイッチを別に設け、このスイッチを操作することによってトレイ１５を搬出位置から搬入位置へ移動させることも可能である。
【００４２】
【発明の効果】
本発明は、以上説明したような形態で実施され、以下に記載されるような効果を奏する。
【００４３】
本発明のメモリーカード接続装置は、筐体にトレイを出し入れ自在に支持し、複数本の端子の自由端側が押圧手段によって押圧されて持ち上げられる動作を前記トレイが前記筐体内の搬入位置への移動する動作に連動させ、前記トレイが前記搬入位置にある時に前記トレイに形成された開口部を介して前記複数本の端子の自由端側を前記メモリーカードの底面に形成された接点に弾接させて前記複数本の端子と前記接点とを接続せしめるようにしたので、前記複数本の端子によって前記トレイの移動が妨げられたり、前記トレイとの接触によって前記複数本の端子が破損するのを防止することができ、前記複数本の端子と前記メモリーカードの接点とを確実に接続することができる。
【００４４】
また、前記押圧手段を前記トレイの底面に取り付けられた軸を中心として回転するローラで形成し、前記複数本の端子を前記トレイの移動方向と交叉する前記軸の軸線方向に整列配置したので、前記トレイの移動に伴って前記複数本の端子の自由端側をスムーズに持ち上げ前記接点に接続させることができる。
【００４５】
また、前記筐体には前記メモリーカードの上面を押圧して前記接点を前記複数本の端子に押し付ける押さえローラを設けたので、前記複数本の端子と前記メモリーカードの接点との接続を一層確実なものとすることができる。
【００４６】
また、メモリーカード載置部を凹部で形成し、この凹部の一隅部を前記メモリーカードの誤載置防止部としたので、前記メモリーカードの天地を逆にした誤載置を確実に防止することができる。
【００４７】
また、前記メモリーカードの上面を押圧したときに、前記メモリーカード載置部の開口部に前記メモリーカードの先端部分が没入してその後端部分が浮き上がるようにしたので、前記メモリーカードの取り出しが簡単になり操作性を高めることができる。
【図面の簡単な説明】
【図１】本発明の第１の実施形態に係わるメモリーカード接続装置の平面図である。
【図２】該メモリーカード接続装置の側面図である。
【図３】該メモリーカード接続装置の正面図である。
【図４】メモリーカードの平面図である。
【図５】該メモリーカード接続装置に備えられる筐体の平面図である。
【図６】該筐体の正面図である。
【図７】該筐体の右側面図である。
【図８】該筐体の左側面図である。
【図９】該筐体の底面図である。
【図１０】該メモリーカード接続装置に備えられるトレイの平面図である。
【図１１】該トレイの正面図である。
【図１２】該トレイの右側面図である。
【図１３】該トレイの底面図である。
【図１４】図１０の１４−１４線に沿う断面図である。
【図１５】図１０の１５−１５線に沿う断面図である。
【図１６】図１０の１６−１６線に沿う断面図である。
【図１７】該メモリーカード接続装置に備えられる基板の平面図である。
【図１８】該基板の右側面図である。
【図１９】該基板が筐体に取り付けられた状態を示す説明図である。
【図２０】該メモリーカード接続装置に備えられるスライド部材の右側面図である。
【図２１】該スライド部材の平面図である。
【図２２】該スライド部材の左側面図である。
【図２３】該メモリーカード接続装置に備えられるハート型カムの拡大図である。
【図２４】トレイが搬出位置に位置するときのプッシュスイッチの動作を示す説明図である。
【図２５】トレイが搬出位置に位置するときの端子の状態を示す説明図である。
【図２６】図１のトレイが搬出位置に位置するときの平面図である。
【図２７】図２のトレイが搬出位置に位置するときの側面図である。
【図２８】トレイが搬入位置に位置するときのプッシュスイッチの動作を示す説明図である。
【図２９】トレイが搬入位置に位置するときの端子の状態を示す説明図である。
【図３０】図２９の要部拡大図である。
【図３１】メモリーカードをトレイから取り上げる際の動作を示す説明図である。
【図３２】本発明の第２の実施形態に係わるメモリーカード接続装置の平面図である。
【図３３】該メモリーカード接続装置の側面図である。
【図３４】該メモリーカード接続装置の正面図である。
【図３５】該メモリーカード接続装置に備えられる駆動部材をスライド部材に取り付けた状態の右側面図である。
【図３６】その平面図である。
【図３７】その左側面図である。
【図３８】該メモリーカード接続装置に備えられるモータユニットの平面図である。
【図３９】該モータユニットが筐体に取り付けられた状態を示す説明図である。
【図４０】図３３のトレイが搬出位置に位置するときの側面図である。
【図４１】図３２のトレイが搬出位置に位置するときの平面図である。
【符号の説明】
１  筐体
２  前面板
２ａ  前面開口部
３  側板
３ａ  切欠孔
３ｂ  角孔
３ｃ  長孔
３ｄ  透孔
４  側板
４ａ  切欠部
４ｂ  小孔
５  後面板
５ａ  後面開口部
６  底板
６ａ  開口
７  取付部
８  第１のラックギア
９ａ  案内突起
９ｂ  案内突起
１０  ばね掛け部
１１  ハート型カム
１１ａ  主ガイド溝
１１ｂ  往路ガイド溝
１１ｃ  復路ガイド溝
１１ｄ  係止突起
１２ａ  案内突起
１２ｂ  案内突起
１３  弾性金属板
１４  押さえローラ
１５  トレイ
１６  基部
１７  案内腕部
１８  案内腕部
１８ａ  押圧部
１８ｂ  押圧部
１９  前面部
２０  メモリーカード載置部
２０ａ  開口部
２０ｂ  一隅部
２１ａ  支持部
２１ｂ  支持部
２２  ローラ
２２ａ  軸
２３  第２のラックギア
２４  基板
２４ａ  ランド
２５  端子
２６  ブロック体
２７  プッシュスイッチ
２８  プッシュスイッチ
２９  スライド部材
３０  ばね掛け部
３１  円筒突起
３２  凹部
３３  係止突起
３４  ロータリーダンパー
３４ａ  本体
３４ｂ  ピニオン
３５  係合ピン
３６  ストッパ部材
３６ａ  突部
３７  引っ張りばね
４１  メモリーカード
４２  テーパ部
４３  接点
４４  切欠凹部
４５  移動片
５１  駆動部材
５２  長孔
５３  ばね掛け部
５４  第３のラックギア
５５  引っ張りばね
５６  モータユニット
５７  シャーシ
５８  モータ
５８ａ  回転軸
５９  ウォーム
６０  ウォームホイール
６１  ウォーム
６２  ウォームホイール
６３  歯車
【図１】
0003948906.tif 000002
【図２】
0003948906.tif 000003
【図３】
0003948906.tif 000004
【図４】
0003948906.tif 000005
【図５】
0003948906.tif 000006
【図６】
0003948906.tif 000007
【図７】
0003948906.tif 000008
【図８】
0003948906.tif 000009
【図９】
0003948906.tif 000010
【図１０】
0003948906.tif 000011
【図１１】
0003948906.tif 000012
【図１２】
0003948906.tif 000013
【図１３】
0003948906.tif 000014
【図１４】
0003948906.tif 000015
【図１５】
0003948906.tif 000016
【図１６】
0003948906.tif 000017
【図１７】
0003948906.tif 000018
【図１８】
0003948906.tif 000019
【図１９】
0003948906.tif 000020
【図２０】
0003948906.tif 000021
【図２１】
0003948906.tif 000022
【図２２】
0003948906.tif 000023
【図２３】
0003948906.tif 000024
【図２４】
0003948906.tif 000025
【図２５】
0003948906.tif 000026
【図２６】
0003948906.tif 000027
【図２７】
0003948906.tif 000028
【図２８】
0003948906.tif 000029
【図２９】
0003948906.tif 000030
【図３０】
0003948906.tif 000031
【図３１】
0003948906.tif 000032
【図３２】
0003948906.tif 000033
【図３３】
0003948906.tif 000034
【図３４】
0003948906.tif 000035
【図３５】
0003948906.tif 000036
【図３６】
0003948906.tif 000037
【図３７】
0003948906.tif 000038
【図３８】
0003948906.tif 000039
【図３９】
0003948906.tif 000040
【図４０】
0003948906.tif 000041
【図４１】
0003948906.tif 000042